【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
体幹部脂肪量と下肢脂肪量に基づいてプロポーション年齢を演算することを特徴とする体格体力判定方法。
【請求項２】
上半身の重量と下肢筋肉量に基づいて体力年齢を演算することを特徴とする体格体力判定方法。
【請求項３】
体脂肪率、ＢＭＩ、プロポーション年齢および体力年齢の少なくとも一つに基づいて体格体力を判定することを特徴とする体格体力判定方法。
【請求項４】
前記プロポーション年齢は、体幹部脂肪量と下肢脂肪量に基づいて演算される請求項３に記載の体格体力判定方法。
【請求項５】
前記体力年齢は、上半身の重量と下肢筋肉量に基づいて演算される請求項３に記載の体格体力判定方法。
【請求項６】
体重と下肢筋肉量に基づいて変形性膝関節症の発症可能性指標ＫＯＩを演算することを特徴とする体格体力判定方法。
【請求項７】
前記ＫＯＩを膝の形状パラメータの少なくとも一つに基づいて補正を行なう請求項６に記載の体格体力判定方法。
【請求項８】
前記膝の形状パラメータは、膝の周径囲と、Ｏ脚度合いを含む請求項７に記載の体格体力判定方法。
【請求項９】
ＢＭＩと体脂肪率の少なくとも一つと変形性膝関節症の発症可能性指標ＫＯＩに基づいて、変形性膝関節症の発症可能性及びその原因の少なくとも一つを判定することを特徴とする体格体力判定方法。
【請求項１０】
前記ＫＯＩは、体重と下肢筋肉量に基づいて演算される請求項９に記載の体格体力判定方法。
【請求項１１】
前記原因は、体重過多、下肢筋肉量少、膝の周径囲小、およびＯ脚度合い大を含む請求項９または請求項１０に記載の体格体力判定方法。
【請求項１２】
体幹部脂肪量を入力する第１の入力手段と、下肢脂肪量を入力する第２の入力手段と、前記第１の入力手段および前記第２の入力手段からのデータに基づいて、プロポーション年齢を演算する演算手段とを備えることをを特徴とする体格体力判定装置。
【請求項１３】
前記第１の入力手段は、体脂肪計である請求項１２に記載の体格体力判定装置。
【請求項１４】
前記第１の入力手段は、前記体幹部脂肪量を手入力可能とするキー手段である請求項１２に記載の体格体力判定装置。
【請求項１５】
前記第２の入力手段は、体脂肪計である請求項１２乃至請求項１４のいずれか一つに記載の体格体力判定装置。
【請求項１６】
前記第２の入力手段は、前記下肢脂肪量を手入力可能とするキー手段である請求項１２乃至請求項１４のいずれか一つに記載の体格体力判定装置。
【請求項１７】
上半身の重量を入力する第１の入力手段と、下肢筋肉量を入力する第２の入力手段と、前記第１の入力手段および前記第２の入力手段からのデータに基づいて、体力年齢を演算する演算手段とを備えることをを特徴とする体格体力判定装置。
【請求項１８】
前記第１の入力手段は、体重計である請求項１７に記載の体格体力判定装置。
【請求項１９】
前記第１の入力手段は、前記上半身の重量を手入力可能とするキー手段である請求項１７に記載の体格体力判定装置。
【請求項２０】
前記第２の入力手段は、体脂肪計である請求項１７乃至請求項１９のいずれか一つに記載の体格体力判定装置。
【請求項２１】
前記第２の入力手段は、前記下肢筋肉量を手入力可能とするキー手段である請求項１７乃至請求項１９のいずれか一つに記載の体格体力判定装置。
【請求項２２】
体脂肪率を入力する第１の入力手段と、ＢＭＩを入力する第２の入力手段と、プロポーション年齢を入力する第３の入力手段と、体力年齢を入力する第４の入力手段と、前記第１の入力手段、前記第２の入力手段、前記第３の入力手段および前記第４の入力手段の少なくとも一つからのデータに基づいて体格体力を判定する判定手段と、判定手段によって判定された判定結果を表示するための表示手段とを備えることを特徴とする体格体力判定装置。
【請求項２３】
前記表示手段は前記判定結果をグラフィック表示する請求項２２に記載の体格体力判別装置。
【請求項２４】
前記第１の入力手段は、体脂肪計である請求項２１または請求項２３に記載の体格判定装置。
【請求項２５】
前記第１の入力手段は、前記体脂肪率を手入力可能とするキー手段である請求項２２または請求項２３に記載の体格判定装置。
【請求項２６】
前記第２の入力手段は、前記ＢＭＩを手入力可能とするキー手段である請求項２２乃至請求項２５のいずれか一つに記載の体格判定装置。
【請求項２７】
前記第３の入力手段は、体幹部脂肪量と下肢脂肪量に基づいて前記プロポーション年齢を演算する請求項２２乃至請求項２６のいずれか一つに記載の体格判定装置。
【請求項２８】
前記第３の入力手段は、前期プロポーション年齢を手入力可能とするキー手段である請求項２２乃至請求項２６のいずれか一つに記載の体格判定装置。
【請求項２９】
前記第４の入力手段は、上半身の重量と下肢筋肉量に基づいて前記体力年齢を演算する請求項２２乃至請求項２８のいずれか一つに記載の体格判定装置。
【請求項３０】
前記第４の入力手段は、前期体力年齢を手入力可能とするキー手段である請求項２２乃至請求項２８のいずれか一つに記載の体格判定装置。
【請求項３１】
体重を入力する第１の入力手段と、下肢筋肉量を入力する第２の入力手段と、前記第１の入力手段および前記第２の入力手段からのデータに基づいて、変形性膝関節症の発症可能性指標ＫＯＩを演算する演算手段とを備えることを特徴とする体格体力判定装置。
【請求項３２】
前記第１の入力手段は、体重計である請求項３１に記載の体格体力判定装置。
【請求項３３】
前記第１の入力手段は、前記体重を手入力可能とするキー手段である請求項３１に記載の体格体力判定装置。
【請求項３４】
前記第２の入力手段は、体脂肪計である請求項３１乃至請求項３３のいずれか一つに記載の体格体力判定装置。
【請求項３５】
前記第２の入力手段は、前記下肢筋肉量を手入力可能とするキー手段である請求項３１乃至請求項３３のいずれか一つに記載の体格体力判定装置。
【請求項３６】
前記ＫＯＩを膝の形状パラメータの少なくとも一つに基づいて補正を行なう請求項３１乃至請求項３５に記載の体格体力判定装置。
【請求項３７】
前記膝の形状パラメータは、膝の周径囲と、Ｏ脚度合いを含む請求項３６に記載の体格体力判定装置。
【請求項３８】
ＢＭＩを入力する第１の入力手段と、体脂肪率を入力する第２の入力手段と、変形性膝関節症の発症可能性指標ＫＯＩを入力する第３の入力手段と、前記第１の入力手段および前記第２の入力手段の少なくとも一つからのデータと前記第３の入力手段からのデータに基づいて、変形性膝関節症の発症可能性及びその原因の少なくとも一つを判定する判定手段と、判定手段によって判定された判定結果を表示するための表示手段とを備えることを特徴とする体格体力判定装置。
【請求項３９】
前記第１の入力手段は、前記ＢＭＩを手入力可能とするキー手段である請求項３８に記載の体格体力判定装置。
【請求項４０】
前記第２の入力手段は、体脂肪計である請求項３８または請求項３９に記載の体格体力判定装置。
【請求項４１】
前記第２の入力手段は、前記体脂肪率を手入力可能とするキー手段である請求項３８または請求項３９に記載の体格体力判定装置。
【請求項４２】
前記第３の入力手段は、体重と下肢筋肉量に基づいて前記ＫＯＩを演算する請求項３８乃至請求項４１のいずれか一つに記載の体格体力判定装置。
【請求項４３】
前記第３の入力手段は、前記ＫＯＩを手入力可能とするキー手段である請求項３８乃至請求項４１のいずれか一つに記載の体格体力判定装置。
【請求項４４】
前記ＫＯＩを膝の形状パラメータの少なくとも一つに基づいて補正を行なう請求項３８乃至請求項４３のいずれか一つに記載の体格体力判定装置。
【請求項４５】
前記膝の形状パラメータは、膝の周径囲と、Ｏ脚度合いを含む請求項４４に記載の体格体力判定装置。
【請求項４６】
前記原因は、体重過多、下肢筋肉量少、膝の周径囲小、およびＯ脚度合い大を含む請求項３８乃至請求項４５のいずれか一つに記載の体格体力判定方法。
【手続補正２】
【補正対象書類名】明細書
【補正対象項目名】００５６
【補正方法】変更
【補正の内容】
【００５６】
次に図３のフローチャートを用いて、本判定装置１の動作を説明する。まず、判定装置１の電源スイッチ５をオンにすると、ステップＳ１で全ての電気装置が初期化設定され、ステップＳ２で図４（ａ）で示す着衣量の入力モードに進む。このモードでは、着衣の重さを入力してもらうメッセージ表示と着衣の重さを入力する入力キーボードを表示部１６に表示する。そして入力キーボードの数値キーで被験者の着衣量、例えば１．５ｋｇを表示部の表面から指で入力すると、図４（ｂ）で示すように表示されるので、進むのキーを押すと、ステップＳ３に進む。この時に入力した値が間違った場合には、消去キーで全ての入力した数値を消すか、Ｂａｃｋキーで直前に入力した数値を一つづつ消して再入力する。
【手続補正３】
【補正対象書類名】明細書
【補正対象項目名】００６４
【補正方法】変更
【補正の内容】
【００６４】
ステップＳ１５において、さらに体力年齢を演算する。図８（ａ）のグラフは、縦軸に上半身の重量／下肢筋肉量を、横軸に年齢をプロットしたグラフである。上半身の重量／下肢筋肉量は歩く時にどれだけ下肢筋肉に負担が掛かるか、あるいは、単位下肢筋肉量で支える上半身重量を表わしており、更には、活発さを表わしている。グラフから分かるように、上半身の重量／下肢筋肉量と年齢の間には、相関関係がある。従って、グラフ中の実線で示された回帰線を求めれば、上半身の重量／下肢筋肉量から、年齢が決まることになる。この年齢をここでは、体力年齢と呼ぶことにする。ステップＳ１５では、最終的に図８（ｂ）を表示装置１６に表示し、「あなたの位置」で被験者の体力年齢を示す。この場合は、「あなたの位置」の縦軸（上半身の重量／下肢筋肉量）の値に相当する回帰線上の横軸（年齢）の値が体力年齢となるので、体力年齢は４０歳である。また、表示装置１６の画面の左側には、上半身、下半身それぞれの脂肪率、脂肪量、除脂肪量、推定筋肉量が表で示され、「あなたの位置」の具体的な数値が示される。これにより、どの程度上下半身のバランスが崩れているか等が分かる。